(57)【要約】【課題】指の静脈パターンの読取手段を薄型化した個人認証装置を提供する。【解決手段】本発明の個人認証装置は、指の静脈パターンを含む情報を読み取る読取手段と、指の静脈パターンの認証用データを予め記録したデータベースを有する認証手段とを備える。読取手段は、当接する指の長手方向に並列に配置した１組の光源部と撮像部とを有し、撮像部は、接写型広角レンズと、レンズホルダと、撮像素子とを有する。レンズホルダは、撮影方向に向かって開口し、内面が撮影方向に向かって拡大する形状を有し、内寸が短い根元部位で接写型広角レンズを保持する。【選択図】図６
2018205785.tif 000002
【特許請求の範囲】
【請求項１】
当接する指の静脈パターンを読み取り、静脈パターンに基づき本人確認をする個人認証装置であって、
指の静脈パターンを含む情報を読み取る読取手段と、
指の静脈パターンの認証用データを予め記録したデータベースを有する認証手段と、
を備え、
前記読取手段は、
当接する指の長手方向に並列に配置した１組の光源部と撮像部とを有し、
該撮像部は、
接写型広角レンズと、レンズホルダと、撮像素子とを有し、
前記レンズホルダは、撮影方向に向かって開口し、内面が撮影方向に向かって拡大する形状を有し、内寸が短い根元部位で前記接写型広角レンズを保持し、
前記撮像部は、光源部から指に入射した光のうち、指の中を透過し、接写型広角レンズを通過する光を撮像し、
前記認証手段は、
撮像部から撮像情報の受信が可能であるように構成され、
撮像部から撮像情報を受信すると、
撮像情報から静脈パターンを抽出し、
抽出した静脈パターンに対応する認証用データがデータベースにあるときは、本人であることを確認する
個人認証装置。
【請求項２】
接写型広角レンズは、画角が１００°〜１５０°である請求項１に記載の個人認証装置。
【請求項３】
接写型広角レンズは、焦点距離が０．５ｍｍ〜１．５ｍｍである請求項１又は２に記載の個人認証装置。
【請求項４】
読取手段は、指を当接したときに、指の当接面から撮像素子までの距離が、８．５ｍｍ以下である請求項１〜３のいずれかに記載の個人認証装置。
【請求項５】
光源部は、照射する光の光軸が、前記光源部と並列する撮像部から見て外側に傾斜する請求項１〜４のいずれかに記載の個人認証装置。
【請求項６】
読取手段は、撮像部を挟んで複数個の光源部を配置する請求項１〜５のいずれかに記載の個人認証装置。
【請求項７】
読取手段は、凹状の指置きガイドを備え、指置きガイドに光源部と撮像部とを配置する請求項１〜６のいずれかに記載の個人認証装置。
【請求項８】
読取手段は、複数の指から静脈パターンを読み取れるように、指毎に配置する請求項１〜７のいずれかに記載の個人認証装置。
【請求項９】
読取手段は、光源部と撮像部との間に遮光用の隔壁を備える請求項１〜８のいずれかに記載の個人認証装置。
【請求項１０】
レンズホルダは、内面が撮影方向に向かってラッパ状に拡大する請求項１〜９のいずれかに記載の個人認証装置。
【請求項１１】
レンズホルダの開口端が、光源部の頂上部より０．３ｍｍ〜１．５ｍｍ撮影方向に突出する請求項１〜１０のいずれかに記載の個人認証装置。
【請求項１２】
レンズホルダは、開口端の内側に吸光性の遮光材を備える請求項１〜１１のいずれかに記載の個人認証装置。
【請求項１３】
読取手段は、ドアレバー、車両のステアリングホイール、携帯電話機又は携帯電話機のケースに配置する請求項１〜１２のいずれかに記載の個人認証装置。
【発明の詳細な説明】
【技術分野】
【０００１】
本発明は、指の静脈パターンに基づき本人確認を行う個人認証装置に関し、特に、指の静脈パターンを読み取る読取手段を薄型化した個人認証装置に関する。
【背景技術】
【０００２】
生体情報である静脈パターンは、体内情報であるため、偽造が難しい。また、静脈パターンは、ヒトの遺伝情報（ＤＮＡの塩基配列）により定まるものではないため、遺伝情報が同一である一卵性双生児同士であっても、静脈パターンが異なり、識別ができる。したがって、静脈パターンに基づく個人認証は、識別精度が高い。
【０００３】
指の静脈パターンに基づく個人認証のメカニズムを概略する。指に（近）赤外線を入射すると、指の内部を透過する（近）赤外線が、指の静脈内を流れるヘモグロビンによって吸収されやすい性質があるため、指の外部へ出射する透過光を撮像すると、指の静脈パターンが黒い影となって表れる。したがって、特定人の静脈パターンを認証用データとして予めデータベースに記録しておき、認証をする際、個人認証装置の読取手段から得られる特定人の静脈パターンと、記録してある静脈パターン（認証用データ）とを比較することにより、個人認証をすることができる。
【０００４】
個人認証装置の具体的な構成態様を例示する。特定人が指を挿入する筐体の内面に、ＬＥＤ（：light emitting diode：発光ダイオード）等の光源を配置し、ＬＥＤに対向する内面に、ＣＣＤ（：charge-coupled device）イメージセンサを配置する。ＬＥＤとしては、（近）赤外線ＬＥＤを使用し、ＣＣＤイメージセンサのほかに、ＣＭＯＳ（complementary metal oxide semiconductor）イメージセンサなどの２次元光センサを使用することができる。ＬＥＤが照射する光が指を透過し、静脈パターンの透過光画像をＣＣＤイメージセンサで捉え、デジタル信号に変換し、データベースに対応する認証用データがあるときは、本人であるとして個人認証をする。
【０００５】
図４は、従来の接触型の静脈パターン読取手段を示す模式図である（特許文献１参照）。図４に示すように、特定人が指置き台４５の表面に指４１を当接すると、光源４３は、指４１に赤外線を照射し、赤外線は指４１の内部を透過し、開口部４０上に到達する。開口部４０上に到達する赤外線のうち、指４１の外部に出射する赤外線は、開口部４０、アクリル板４４、赤外線透過フィルタ４７を通り、撮像装置４９に到達し、到達する赤外線を撮像する。アクリル板４４は、赤外線に対して透明であり、読取手段４２の内部に、指や異物が進入することを防ぐ。かかる読取手段４２において、開口部４０は、指４１の長手方向の距離を指４１の長さより短くすることにより、読取手段４２を小型化できると記載されている。しかし、図４に示すように、この読取手段４２は、指４１が当接する面から撮像装置４９までの距離Ｌが長く、分厚いため、読取手段の取り付け場所が制限され、取り付け加工が容易ではない。
【先行技術文献】
【特許文献】
【０００６】
【特許文献１】特開２００８−５８５４号公報
【発明の概要】
【発明が解決しようとする課題】
【０００７】
本発明の課題は、指の静脈パターンの読取手段を薄型化した個人認証装置を提供することにある。また、本発明は、１つのレンズにより広範囲の静脈パターン情報を収集できる読取手段を備える個人認証装置を提供することを課題とする。
【課題を解決するための手段】
【０００８】
本発明は、当接する指の静脈パターンを読み取り、静脈パターンに基づき本人確認をする個人認証装置であって、指の静脈パターンを含む情報を読み取る読取手段と、指の静脈パターンの認証用データを予め記録したデータベースを有する認証手段とを備える。読取手段は、当接する指の長手方向に並列に配置した１組の光源部と撮像部とを有し、撮像部は、接写型広角レンズと、レンズホルダと、撮像素子とを有する。レンズホルダは、撮影方向に向かって開口し、内面が撮影方向に向かって拡大する形状を有し、内寸が短い根元部位で接写型広角レンズを保持する。また、撮像部は、光源部から指に入射した光のうち、指の中を透過し、接写型広角レンズを通過する光を撮像する。
【０００９】
一方、認証手段は、撮像部から撮像情報の受信が可能であるように構成され、撮像部から撮像情報を受信すると、撮像情報から静脈パターンを抽出し、抽出した静脈パターンに対応する認証用データがデータベースにあるときは、本人であることを確認する。本発明の個人認証装置を構成する読取手段は、接写型広角レンズを配置するため、１つのレンズにより広範囲の情報を収集でき、また読取手段を薄型化することが可能である。
【００１０】
接写型広角レンズは、画角が１００°〜１５０°である態様が好適であり、焦点距離は０．５ｍｍ〜１．５ｍｍが好ましい。読取手段は、指を当接したときに、指の当接面から撮像素子までの距離が、８．５ｍｍ以下である薄型化した態様が好ましく、光源部は、照射する光の光軸が、光源部と並列する撮像部から見て外側に傾斜する構造が、コントラストの良好な静脈パターンを得る上で好ましい。読取手段は、撮像部を挟んで複数個の光源部を配置する態様が、光源部から照射する光を指の内部で均一に充満する点で好ましい。
【００１１】
読取手段は、凹状の指置きガイドを備え、指置きガイドに光源部と撮像部とを配置すると、個人認証の精度を高めることができる。また、読取手段は、複数の指から静脈パターンを読み取れるように、指毎に配置する態様も、個人認証の精度を高める点で好ましい。一方、読取手段は、光源部と撮像部との間に遮光用の隔壁を設けると、コントラストの高い静脈パターンを得ることができる。レンズホルダは、内面が撮影方向に向かってラッパ状に拡大する形状が好ましい。また、レンズホルダの開口端が、光源部の頂上部より０．３ｍｍ〜１．５ｍｍ撮影方向に突出する態様と、レンズホルダの開口端の内側に吸光性の遮光材を備える態様は、いずれも静脈パターンのコントラストを高めて、精度の高い個人認証を行う上で好ましい。読取手段は、ドアレバー、車両のステアリングホイール、携帯電話機又は携帯電話機のケースに配置することができる。
【発明の効果】
【００１２】
本発明の個人認証装置を構成する読取手段は薄型であるため、取り付け場所の制限が少なく、取り付け施工が容易である。また、１つのレンズにより広範囲の静脈パターン情報を収集することができるため、従来のように多くのレンズや多くの撮像素子を配置しなくても、指の静脈パターンを取得することができ、安価な個人認証装置を提供できる。
【図面の簡単な説明】
【００１３】
【図１】本発明の個人認証装置の機能を示す概念図である。
【図２】本発明の個人認証装置のハードウェア構成を例示する説明図である。
【図３】本発明の個人認証装置を実施するフローチャートである。
【図４】従来の接触型の静脈パターン読取手段を示す模式図である。
【図５】本発明の個人認証装置における認証手段を構成するデータベースの例である。
【図６】本発明の個人認証装置を構成する読取手段の構造を示す概念図である（内蔵型の読取手段）。
【図７】本発明の個人認証装置を構成する読取手段の構造を示す概念図である（外付け型の読取手段）。
【図８】本発明の個人認証装置を構成する読取手段の構造を示す概念図である（傾斜する光源部）。
【図９】本発明の個人認証装置を構成する読取手段の構造を示す概念図である（指置きガイド）。
【図１０】本発明の個人認証装置を構成する読取手段をドアレバーに取り付けた例を示す説明図である。
【図１１】本発明の個人認証装置を構成する読取手段を携帯電話機のケースに取り付けた例を示す説明図である。
【図１２】本発明の個人認証装置を構成する読取手段の構造を示す概念図である。
【発明を実施するための形態】
【００１４】
本発明の個人認証装置は、個人認証装置に当接する特定人の指の静脈パターンを読み取り、静脈パターンに基づき個人認証をする。個人認証とは、特定人が本当に本人であることを確認し、証明するプロセスである。本発明の個人認証装置は、読取手段と認証手段とを備え、読取手段は、指の静脈パターンを含む情報を読み取る。具体的には、読取手段に当接する指の画像を撮影する。認証手段は、指の静脈パターンの認証用データを予め記録したデータベースを有する。また、認証手段は、読取手段が取得した撮像情報から静脈パターンを抽出し、抽出した静脈パターンと認証用データに基づき個人認証を行う。
【００１５】
図１は、本発明の個人認証装置の機能を示す概念図である。図１において、入力手段１１１である読取手段は、静脈パターンを含む指の撮像情報を取得し、撮像情報を入力する。また、入力手段１１１は、静膜パターンの認証用データをＣＤ−ＲＯＭ等により入力する。制御手段１１２は、入力手段１１１が入力した認証用データ等を記憶手段１１４に記録する。表示手段１１３は、記録した情報等を必要に応じてディスプレイに表示する。一方、出力手段１１５は、たとえば、個人認証の結果を個人認証装置の外部へ送信する。
【００１６】
図２は、本発明の個人認証装置のハードウェア構成を例示する説明図である。図２において、ＣＰＵ１２２は、制御手段であり、入力回路１２１と読取手段１３０は、入力手段である。データベース１２４は、記憶手段であり、静脈パターンに基づく個人認証を行う際に必要な認証用データ１３４と、オペレーティングシステム（ＯＳ）１３１等を記録する。図２に示すように、ＣＰＵ１２２、入力回路１２１、ディスプレイ１２３、読取手段１３０、出力回路１２５、データベース１２４、メモリー１２６とは互いに接続し、これらのハードウェアが協働して個人認証を行う。
【００１７】
ＣＰＵ１２２は、メモリー１２６に記録するプログラムに基づき個人認証を実行する。図２に示す個人認証装置において、読取手段１３０が特定人の静脈パターンを含む撮像情報を取得し、入力すると、ＣＰＵ１２２は、入力された撮像情報をメモリー１２６に記録する。つぎに、ＣＰＵ１２２は、メモリー１２６に記録された画像情報から静脈パターンを抽出し、抽出した静脈パターンをメモリー１２６に記録する。また、ＣＰＵ１２２は、データベース１２４から認証用データ１３４を取得し、認証用データ１３４をメモリー１２６に記録する。その後、ＣＰＵ１２２は、画像情報から抽出した静脈パターンと、認証用データとを比較し、対応する情報があるときは、特定人を本人と認証する。
【００１８】
図６は、本発明の個人認証装置を構成する読取手段の構造を示す概念図である。図６（ａ）は、読取手段１を指９の長手方向に切断したときの構造を示し、指９の腹部が読取手段１に当接する直前の状態を示す。読取手段１は、当接する指９の長手方向に並列に配置した１組の光源部２と撮像部３とを有する。図６に例示する態様は、読取手段１を取り付ける部材の内部に、光源部２と撮像部３とを配置する内蔵型の読取手段である。
【００１９】
図６（ａ）に示す例では、読取手段１は、撮像部３を挟んで２個の光源部２を配置する。いずれか一方の光源部２のみを配置する態様であっても有効に個人認証をすることができるが、図６（ａ）に示すように、複数個の光源部２を備える態様は、光源部２から照射する近赤外光を指９内に均一に充満できる点で好ましい。また、指９の長手方向と直交する方向に、複数個の光源を備える態様も、近赤外光を指９内に均一に充満できる点で好ましい。指の静脈内を流れる赤血球を構成するヘモグロビンは、近赤外光を特異的に吸収するため、光源部は、近赤外光を含む光を放射する光源により構成する。近赤外光とは、波長が０．７〜２．５μｍの電磁波であり、赤外線カメラ、家庭用電気製品のリモートコントローラ等に採用されている電磁波と同様である。かかる光源としては、ＬＥＤが、省エネルギと長寿命である点で好ましい。
【００２０】
図６（ａ）に例示する読取手段１は、光源部２と撮像部３との間に、遮光用の隔壁４を備える。不透明な隔壁４を配置すると、光源部２が照射した光のうち、指９の表面を伝わる反射波が撮像部３へ入るのを防ぎ、撮像画像における静脈パターンのコントラストを高めることができる点で好ましい。隔壁４は、効果的に反射波を遮断する点で、図６（ａ）に示すように、頂上部が読取手段の表面にまで到達している態様が好ましい。図６（ａ）に例示する読取手段１は、透明な保護板５を備える。保護板５を配置すると、読取装置１内へのゴミ等の異物の進入を防ぎ、光源部２や撮像部３等を保護することができる点で好ましい。保護板としては、たとえば透明なアクリル板を使用することができる。
【００２１】
図６（ｂ）と図６（ｃ）は、撮像部３の構造を示し、図６（ｂ）は、正面図であり、図６（ｃ）は、平面図である。撮像部３は、接写型広角レンズ３ａと、接写型広角レンズ３ａを保持するレンズホルダ３ｂと、撮像素子３ｃとを有する。指９の腹部が読取手段１に当接した後、撮像素子３ｃは、光源部２から指９に入射した光のうち、指の中を透過し、接写型広角レンズ３ａを通過する光を撮像する。特定人の指９が読取手段１に接触すると、接触センサや温度センサ等により、個人認証装置が始動する態様は、個人認証を自動化できる点で好ましい。
【００２２】
図６（ｂ）における接写型広角レンズ３ａは、１つのレンズで広範囲の静脈パターンを含む画像情報を取得できる点で、画角が１００°以上が好ましく、１１０°以上がより好ましく、１２０°以上が特に好ましい。一方、レンズの画角が大きくなると、画像の周辺部が外に流れるように変形し、周辺部ほど画像が暗くなる傾向がある。このため、精度の高い静脈パターンを得る点で、接写型広角レンズ３ａの画角は、１５０°以下が好ましく、１４５°以下がより好ましく、１４０°以下が特に好ましい。本発明の個人認証装置を構成する撮像部は、広角レンズを使用することにより、１つのレンズで広範囲の静脈パターンを含む画像情報を得ることができる。このため、従来のように多くのレンズや多くの撮像素子を配置しなくても、指の静脈パターンを取得することができ、安価な個人認証装置の提供が可能である。
【００２３】
本発明の個人認証装置は、指の静脈パターンに基づき個人認証をするが、指の静脈は、真皮層に多く、真皮層は指の表面から１．５ｍｍ〜３．０ｍｍに多く分布するため、被写体深度（：指の表面から被写体までの距離）は、１．５ｍｍ〜３．０ｍｍに設定するのが好ましい。図６に例示する態様では、読取手段１は、保護板５を有するため、図６（ｂ）に示すように、保護板５の表面から接写型広角レンズ３ａまでの距離Ｌ１、即ち指９を保護板５に当接したときに、指９の表面から接写型広角レンズ３ａまでの距離Ｌ１は、読取手段１を薄型化する点で、７ｍｍ以下が好ましく、６ｍｍ以下がより好ましい。かかる態様では、接写型広角レンズ３ａの被写体距離（：接写型広角レンズから、被写体である静脈パターンまでの距離）は、好ましくは１０ｍｍ以下、より好ましくは９．０ｍｍ以下、特に好ましくは７．５ｍｍ以下である。
【００２４】
接写型広角レンズ３ａは、必ずしも１枚レンズとする必要はなく、たとえば３枚又は４枚の組み合わせレンズを用いることができる。接写型広角レンズの焦点距離は、薄型の読取手段を提供する観点から、１．５ｍｍ以下が好ましく、１．２ｍｍ以下がより好ましく、１．０ｍｍ以下が特に好ましい。一方、接写型広角レンズ３ａの焦点距離は、撮像画像の歪を低減する点で、０．５ｍｍ以上が好ましく、０．７ｍｍ以上がより好ましい。かかる態様により、図６（ｂ）に示すように、保護板５の表面から撮像素子３ｃまでの距離Ｌ、即ち指９を当接したときに、指９の当接面から撮像素子３ｃまでの距離Ｌが、好ましくは８．５ｍｍ以下、より好ましくは８．０ｍｍ以下、特に好ましくは７．０ｍｍ以下の薄型の読取手段１を提供することができる。レンズ径は、たとえば４ｍｍ〜５ｍｍのものを好適に使用することができる。
【００２５】
レンズホルダ３ｂは、撮影方向に向かって開口し、内面が撮影方向に向かって拡大する形状を有し、内寸が短い根元部位で接写型広角レンズ３ａを保持する。図６（ｂ）には、内面が撮影方向に向かってラッパ状に拡大するレンズホルダを例示する。レンズホルダ３ｂは、保持するレンズが広角レンズであり、広い画角を有効に確保する点で、図６（ｂ）に例示するようなラッパ形状が好適である。図６（ｂ）に示すように、展開角αは、１つのレンズで広範囲の静脈パターンを含む画像情報を取得できる点で、５０°以上が好ましく、５５°以上がより好ましく、６０°以上が特に好ましい。一方、撮像画像の周辺領域は、変形が大きく、輝度も低いため、精度の高い静脈パターンを得る観点から、展開角αは、７５°以下が好ましく、７３°以下がより好ましく、７０°以下が特に好ましい。レンズホルダの内面は、集光効率を高める点で、鏡面加工した態様が好ましい。撮像素子３ｃには、ＣＣＤイメージセンサ又はＣＭＯＳイメージセンサを使用することができる。
【００２６】
図６（ｂ）に例示する撮像部３は、赤外線透過フィルタ３ｄを備える。したがって、図６（ｂ）に示す態様では、接写型広角レンズ３ａを通過する光は、赤外線透過フィルタ３ｄにより、赤外線だけが選択的に透過して撮像素子３ｃに到達する。静脈は、近赤外線を特異的に吸収するため、静脈の存在する領域は、輝度が低い暗線となって表れる。一方、静脈が存在しない領域は近赤外線を吸収しないため、輝度が保たれる。したがって、赤外線透過フィルタ３ｄを設けて、赤外線以外の波長の光を遮断することにより、ノイズが少なく、コントラストの良好な静脈（暗線）パターンを取得することができる。赤外線透過フィルタ３ｄは、指からの透過光が撮像素子３ｃに到達する前に設けることにより、機能を発揮するから、図６（ｂ）に例示する態様のほか、接写型広角レンズ３ａの上に配置する態様も有効である。
【００２７】
図１２は、本発明の個人認証装置を構成する読取手段の構造を示す概念図であり、図１２（ａ）は、横から見たときの構造を示し、図１２（ｂ）は、上から見たときの構造を示す。図１２（ａ）に示すように、本発明の個人認証装置を構成する撮像部３において、レンズホルダ３ｂは、撮影方向３ｇに向かって開口し、レンズホルダ３ｂの内面が撮影方向３ｇに向かって拡大する形状を有する。即ち、レンズホルダ３ｂは、内面の寸法Ｌ２が、撮影方向３ｂに向かって大きくなる。また、レンズホルダ３ｂの内寸が短い根元部位で、接写型広角レンズ３ａを保持する。レンズホルダ３ｂが、かかる形状を有することにより、接写型広角レンズ３ａの広い画角の有効性を高め、１つのレンズで収集できる画像情報を拡大することが可能である。
【００２８】
レンズホルダ３ｂは、図１２（ａ）に示すように、開口端３ｅが、光源部２の頂上部より撮影方向３ｇに突出していると、光源部２から照射される光のうち、指の表面を伝わる反射光を抑制し、静脈パターンのコントラストが高まる点で、好ましい。かかる観点から、レンズホルダ３ｂの開口端３ｅと、光源部２の頂上部までの距離Ｌ３は、０．３ｍｍ以上が好ましく、０．５ｍｍ以上がより好ましい。一方、距離Ｌ３が大きくなると、光源部２からの光量が減少するため、距離Ｌ３は、１．５ｍｍ以下が好ましく、１．０ｍｍ以下がより好ましい。
【００２９】
レンズホルダ３ｂは、図１２（ａ）に示すように、開口端３ｅの内側に吸光性の遮光材３ｆを備えると、光源部２から照射される光のうち、指の表面を伝わる反射光を抑制し、静脈パターンのコントラストが高まる点で、好ましい。図１２には、吸光性の遮光材３ｆとして、黒色塗料を塗布した板状体を配置する態様を例示する。この板状体（：吸光性の遮光材３ｆ）は、図１２（ｂ）に示す態様では、レンズホルダ３ｂの開口端３ｅのうち、光源部２側の開口端に配置している。図１２（ｂ）では、光源部２と、レンズホルダ３ｂとが角型である態様を例示し、レンズホルダ３ｂは接写型広角レンズ３ａを保持している。
【００３０】
図７は、本発明の個人認証装置を構成する読取手段１の構造を示す概念図であり、読取手段１を指９の長手方向に切断したときの構造を示す。図７に例示する態様は、読取手段１を取り付ける部材の外部に、光源部２と撮像部３を配置する外付け型の読取手段である。図７に示す読取手段１では、光源部２と撮像部３は、天面が保護板５により保護され、側面が筐体６により保護されている。外付け型の読取手段は、内蔵型の読取手段と比較して取り付け施工が容易である点で好ましい。また、図７に例示する外付け型の読取手段１において、指９が当接する表面から撮像素子までの距離Ｌは、８．５ｍｍ以下であり、薄型化した読取手段を備える個人認証装置を提供することができる。
【００３１】
図９は、本発明の個人認証装置を構成する読取手段１の構造を示す概念図であり、図９（ａ）は、読取手段１を指９の長手方向に切断したときの構造を示す。また、図９（ｂ）は、図９（ａ）において、指９の長手方向に直交する方向ＩＸＢ−ＩＸＢで、読取手段１を切断したときの構造を示す。図９に例示する読取手段１は、凹状の指置きガイド７を備え、指置きガイド７に光源部２と撮像部３を配置する。凹状とは、指置きガイドの中央部が窪んでいる形状をいう。指９内の静脈パターンは、指の位置により異なるから、図９（ａ）に示すように、指置きガイド７を設け、指置きガイドに沿って指を配置することにより、指９の先端から撮像部３までの距離Ｄを一定に保ち、指の先端から距離Ｄの位置にある静脈パターンを撮像することができる。したがって、個人認証の精度を高めることができる。
【００３２】
同様に、図９（ｂ）に示すような凹状の指置きガイド７を設け、指置きガイドに沿って指を配置することにより、指の幅方向においても撮像場所が一定となり、一定の場所にある静脈パターンを撮像できる。このため、個人認証の精度を高めることができる。また、指置きガイド７を不透明体で形成すると、撮像時に、周囲の外光を遮断する効果が高まるため、ノイズが少なく、コントラストの良好な静脈パターンを取得することができる。
【００３３】
凹状の指置きガイドを設けない態様においても、指の当接する場所を表示することにより、指の撮像場所を一定にすることが可能である。しかし、凹状の指置きガイドがなく、指を当接する表面が平面状である読取手段の場合、指を当接面に押し付けると、加圧された領域の血液が減少するため、静脈パターンのコントラストが低下する虞がある。これに対して、凹状の指置きガイドを備える態様では、指の形状に即した凹部を有するため、指への圧力が分散し、コントラストの高い静脈パターンを取得することができる。
【００３４】
図９には、外付け型の読取手段を例示したが、読取手段１を取り付ける部材の内部に光源部２と撮像部３とを配置する内蔵型の読取手段についても同様である。また、内蔵型の読取手段では、指置きガイドが、読取手段を取り付ける部材の内部に配置する態様のほか、指置きガイドの一部が部材の外部に暴露している態様においても、指置きガイドは有効に機能する。
【００３５】
図８は、本発明の個人認証装置を構成する読取手段の構造を示す概念図であり、読取手段１を指９の長手方向に切断したときの構造を示す。図８に例示する態様では、光源部２は、照射する光の光軸Ａが、光源部と並列する撮像部３から見て外側に傾斜する。撮像部３から見て外側に光源部２を傾斜することにより、光源部２が照射する光のうち、指９の表面に沿って撮像部３に到達する反射光が少なくなる。したがって、撮像部３におけるノイズが小さくなり、コントラストの良い静脈パターンを取得することができる。
【００３６】
また、光源部２を外側に傾斜することにより、光源部から指の中に入射した光のうち、静脈が少ない指の浅い領域で散乱した光が撮像部に到達する態様を減らすことができる。このため、ノイズが少なく、コントラストの良い静脈パターンを得ることができる。撮像部３の撮影方向と、光源部２の光軸Ａとのなす角度を傾斜角βとする。傾斜角βが大きいと、光源部２により照射する光源量を大きくする必要があるため、遮光用の隔壁４の有無によっても異なるが、傾斜角βは、通常、３０°〜５０°が好ましい。一方、読取手段を部材に取り付けるとき、複数の指からそれぞれの静脈パターンを読み取れるように、指毎に読取手段を配置する態様は、複数の指の静脈パターンに基づき、より正確な個人認証ができる点で好ましい。
【００３７】
読取手段は、ドアレバー、車両のステアリングホイール、携帯電話機又は携帯電話機のケースに取り付けることにより、これらを把持する特定人の個人認証をすることが可能となる。図１０は、本発明の個人認証装置を構成する読取手段をドアレバーに取り付けた例を示す説明図である。図１０に示す例では、ドア２０に配置するドアレバー２５に、内蔵型の読取手段２１を取り付けているが、外付け型の読取手段を取り付ける態様においても、同様に有効である。読取手段２１は、合計３個配置し、読取手段２１ａは示指（：人差し指）、読取手段２１ｂは中指、読取手段２１ｃは環指（：薬指）から、それぞれ静脈パターンを取得するように設計している。このため、複数の指の静脈パターンに基づき、より正確な個人認証が可能である。読取手段２１ａは、３個の光源部２２と撮像部２３とを備え、読取手段２１ｂ，２１ｃも同様の構成を有する。
【００３８】
図１０に例示するドアレバーを、特定人が指で把持することにより、個人認証が可能であり、個人認証後、ドアのロック解除等を行うことができる。また、ドアレバーと同様に指で把持して操作する車両のステアリングホイールにおいても、図１０に示すように読取手段を取り付けることにより、運転者の個人認証が可能である。本発明の個人認証装置を構成する読取手段は薄型であり、取り付け場所を選ばないため、ドアレバーや車両のステアリングホイール等に容易に取り付けることができる。
【００３９】
図１１は、本発明の個人認証装置を構成する読取手段をスマートフォン等の携帯電話機のケースに取り付けた例を示す説明図である。図１１に示す例では、携帯電話機のケース３０に、内蔵型の読取手段３１を取り付けているが、外付け型の読取手段を取り付ける場合も同様である。読取手段３１は、示指（：人差し指）用に１個取り付けているが、図１０に示すように、複数の指から情報を取得するために複数の読取手段を取り付ける態様も可能である。読取手段３１は、光源部３２、撮像部３３、遮光用の隔壁３４とを備え、周囲に凹状の指置きガイド３７を有する。また、認証手段は、携帯電話機に搭載することができる。
【００４０】
図１１に示すケース３０を特定人が指で把持することにより、個人認証が可能であり、個人認証完了後に、携帯電話機を起動する等の設定をすることができる。また、読取手段３１は、凹状の指置きガイド３７を備えるため、個人認証の精度を高めることができる。図１１では、携帯電話機のケースに読取手段を取り付ける例を示すが、図１１と同様に、携帯電話機の筐体に読取手段を取り付けて、個人認証をすることができる。本発明の個人認証装置を構成する読取手段は薄型であり、取り付け場所の制限が少なく、携帯電話機や携帯電話機のケース等に容易に取り付けることができる。
【００４１】
図３は、本発明の個人認証装置を実施するフローチャートの例であり、個人認証装置は、ハードウェアと協働して個人認証を行う。図３に示すように、まず読取手段が特定人の指の撮像情報を取得し（ステップＳ２１）、取得した撮像情報を認証手段に送信する（ステップＳ２２）。認証手段は、読取手段の撮像部から撮像情報の受信が可能であるように構成され、認証手段が、撮像情報を受信すると（ステップ１）、ＣＰＵは、撮像情報をメモリーに記録し、その後、撮像情報から静脈パターンを抽出し（ステップＳ２）、静脈パターンをメモリーに記録する。
【００４２】
撮像情報からの静脈パターンの抽出は、暗線の追跡を反復的に実施する方法やフィルタ処理によりパターンを強調する方法等により行う。たとえば、暗線の追跡を反復的に実施する方法は、静脈内を流れる赤血球を構成するヘモグロビンは、近赤外線を吸収する性質があるため、指の撮影画像では、静脈は周囲より暗い輝度を有する暗線となって表われる。そこで、撮影画像の任意の点から暗線に沿って１画素ずつ移動し、線が検出できなくなるまで行う。この作業を反復し、画素毎に辿った回数を記録する。その後、静脈領域と背景領域をラベリングして、静脈パターンを抽出する。一方、フィルタ処理によりパターンを強調する方法は、撮像情報をフィルタリングした上でコントラストを強調し、静脈パターンの特徴を抽出する方法である。
【００４３】
その後、図３に示すように、認証手段は、抽出した静脈パターンに対応する認証用データがあるかどうかを検索し（ステップＳ３）、対応する認証用データがデータベースにあるときは、本人であることを確認（個人認証）する（ステップＳ４）。対応する認証用データの検索（ステップＳ３）は、ＣＰＵが、データベースにアクセスし、データベースに予め記録している認証用データを取得する。つぎに、認証用データをメモリーに記録し、記録した認証用データの中から、抽出した静脈パターンに対応する認証用データを検索することにより行う。本明細書において、データが対応するとは、両データが一致する場合のほか、マッチング処理により、両データの一致率が所定の閾値以上である場合をいう。抽出した静脈パターンに対応する認証用データがないときは、本人であることが確認できないため、個人認証は行われない。
【００４４】
暗線追跡法等により抽出した静脈パターンと、データベースに記録されている認証用データとの照合は、たとえばテンプレートマッチング法により行う。まず、抽出した静脈パターン画像に対して２値化処理を行い、静脈パターンを強調する。つぎに、２値化処理後の画像と認証用データとの間で対応する画素値を比較し、一致率を計算する。一致率とは、全画素数に対する、対応する画素値を持つ画素数の比率である。一致率が所定の閾値以上であるときは、本人であると認証する。また、個人認証をするときに、指の位置がずれることにより、抽出した静脈パターンと認証データとの一致率が変動する。このため、複数回の照合をし、各回の一致率を計算し、その最大値により照合する方法を採用することができる。抽出した静脈パターン画像を２値化処理した後、空間圧縮化処理を施すと、処理の高速化が図れる点で好ましい。
【００４５】
図５は、本発明の個人認証装置における認証手段を構成するデータベースの例である。データベースには、図５に示すように、特定人の指の静脈パターンに関する認証用データが予め記録され、各特定人にはインデックスが付与されている。図５に示す認証用データは、光ディスクや磁気ディスク等により、予めデータベースに入力する。また、読取手段が取得した特定人の指の撮像情報を認証手段に送信し、撮像情報から静脈パターンを抽出し、抽出した静脈パターンを認証用データとしてデータベースに登録することができる。
【００４６】
図５に示すインデックスを利用すると、つぎのような利点がある。個人認証をするときに、予めインデックスを入力する。ＣＰＵは、データベースにアクセスし、データベースに予め記録している認証用データの中から、同一のインデックスが付与されている認証用データのみを取得する。ＣＰＵは、この単一の認証用データをメモリーに記録し、単一の認証用データと、抽出した静脈パターンとの対応を確認し、個人認証をする。かかる態様は、個人認証を効率化できる点で好ましい。
【００４７】
個人認証が完了した後、完了した旨を通知する態様は、認証の完了を客観的に確認できる点で好ましい。通知手段としては、たとえば「本人確認が完了しました。」との音声による通知、チャイムなどのメロディーの発生、表示ランプの点灯、ディスプレイへの表示等を利用し、また併用することができる。また、個人認証装置の外部、たとえば警備保障会社や同居人へ、個人認証が完了した旨を送信する態様も可能である。
【産業上の利用可能性】
【００４８】
本発明の個人認証装置を構成する読取手段は薄型であるため、ドアレバー、車両のステアリングホイール、携帯電話機又は携帯電話機のケースへの取り付けが容易であり、個人認証が可能である。
【符号の説明】
【００４９】
１  読取手段
２  光源部
３  撮像部
３ａ  接写型広角レンズ
３ｂ  レンズホルダ
３ｃ  撮像素子
３ｄ  赤外線透過フィルタ
３ｅ  開口端
３ｆ  吸光性の遮光材
３ｇ  撮影方向
４  （遮光用の）隔壁
５  保護板
７  指置きガイド
９  指
２０  ドア
２５  ドアレバー
３０  （携帯電話機の）ケース
４０  開口部
４１  指
４２  読取手段
４３  光源
４４  アクリル板
４５  指置き台
４７  赤外線透過フィルタ
４９  撮像装置
１１１  入力手段
１１２  制御手段
１１３  表示手段
１１４  記憶手段
１１５  出力手段
１２１  入力回路
１２２  ＣＰＵ
１２３  ディスプレイ
１２４  データベース
１２５  出力回路
１２６  メモリー
１３０  読取手段
１３１  ＯＳ
１３４  認証用データ
【図１】
2018205785.tif 000003
【図２】
2018205785.tif 000004
【図３】
2018205785.tif 000005
【図４】
2018205785.tif 000006
【図５】
2018205785.tif 000007
【図６】
2018205785.tif 000008
【図７】
2018205785.tif 000009
【図８】
2018205785.tif 000010
【図９】
2018205785.tif 000011
【図１０】
2018205785.tif 000012
【図１１】
2018205785.tif 000013
【図１２】
2018205785.tif 000014